(57)【要約】【課題】化粧用のブラシを携帯する際に、毛並みの広がりを防止すると共にケース本体に対する出し入れを容易にする。【解決手段】化粧用ブラシを携帯するためのケースＡは、ブラシ１の長さと略等しい長さを有すると共に端部につまみ片２ｂが設けられ且つ内部に化粧用ブラシを挿通して毛並みを保護する保護スリーブ２と、ブラシ１を挿通した保護スリーブ２を収容する収容部３ａを設けたケース本体３とを有する。【選択図】  図１
2006115878.tif 000002
【特許請求の範囲】
【請求項１】
化粧用ブラシを収容して携帯する携帯用ケースであって、化粧用ブラシの長さと略等しい長さを有すると共に端部につまみ片が設けられ且つ内部に化粧用ブラシを挿通して毛並みを保護する保護スリーブと、化粧用ブラシを挿通した保護スリーブを収容する収容部を設けたケース本体と、を有することを特長とする化粧用ブラシの携帯用ケース。
【発明の詳細な説明】
【技術分野】
【０００１】
本発明は、化粧用ブラシを携帯する際に用いる携帯用ケースに関し、特に、化粧用ブラシの毛並みを揃えた状態を保持させることで広がりを防止すると共に、ケース本体への出し入れを容易にし得るようにした携帯用ケースに関するものである。
【背景技術】
【０００２】
化粧用ブラシは通常化粧用の台に並べて置いて使用するが、旅行等で携帯する必要がある場合には、コンパクト容器に収容しておき、必要に応じて該コンパクト容器から取り出して使用するのが一般的である。また、職業的に必要とする場合、幾つかの化粧用ブラシを携帯することもあるが、この場合、袋状のポーチを形成しておき、化粧用ブラシの柄をこの袋に差し込み、毛の方を袋から出した状態で収容するのが一般的である。
【発明の開示】
【発明が解決しようとする課題】
【０００３】
複数の化粧用ブラシを毛を露出させた状態でポーチに収容した場合、隣り合う化粧用ブラシどうしが接触して夫々の化粧用ブラシの化粧料が混合してしまうという不都合が生じる虞がある。この解決をはかるためには、個々の化粧用ブラシを単独で収容し得るようにすることが好ましい。
【０００４】
また、大きな化粧用ブラシを携帯する際に、１本の化粧用ブラシを独立して収容して携帯し得るような携帯用ケースの開発も要求されている。
【０００５】
しかし、従来の化粧用ブラシは化粧料を収容するコンパクト容器に専用の収容部が用意されているため、化粧用ブラシのみを携帯するという思想はなく、このようなケースも提供されていないという問題がある。
【０００６】
本発明の目的は、化粧用ブラシを携帯するに際し、毛並みの広がりを防止すると共にケース本体に対する出し入れを容易に行うことが出来る化粧用ブラシの携帯用ケースを提供することにある。
【課題を解決するための手段】
【０００７】
上記課題を解決するために本発明に係る化粧用ブラシの携帯用ケースは、化粧用ブラシを収容して携帯する携帯用ケースであって、化粧用ブラシの長さと略等しい長さを有すると共に端部につまみ片が設けられ且つ内部に化粧用ブラシを挿通して毛並みを保護する保護スリーブと、化粧用ブラシを挿通した保護スリーブを収容する収容部を設けたケース本体とを有して構成されるものである。
【発明の効果】
【０００８】
上記化粧用ブラシ（以下「ブラシ」という）の携帯用ケース（以下「ケース」という）では、保護スリーブがブラシの長さと略等しい長さを有するため、ブラシを挿通することによって柄から毛の全長を覆うことが出来る。このため、毛が保護スリーブによって覆われることとなり、毛並みが広がることを防ぐことが出来る。
【０００９】
ブラシを保護スリーブに挿通することによって、多数の毛を有するブラシであるにも関わらず、保護スリーブ単独のものとして取り扱うことが可能となり、ケース本体の収容部に対する出し入れを容易に行うことが出来る。そしてブラシ及び該ブラシを挿通した保護スリーブを収容部に収容したケースを携帯して所望の移動を行うことが出来る。
【００１０】
特に、保護スリーブの端部につまみ片が設けられるため、ブラシを挿通した保護スリーブをケース本体から取り出す際に、つまみ片をつまんで引き出すことで、ケース本体から保護スリーブを容易に取り出すことが出来、且つ取り出した保護スリーブから容易にブラシを取り出すことが出来る。
【発明を実施するための最良の形態】
【００１１】
以下、本発明に係るケースの構成について説明する。本発明に係るケースは、化粧をする際に用いるブラシを携帯するに際し、ブラシの毛並みが広がることを防止すると共にケース本体への収容や取り出しを容易に行うことを可能としたものである。このため、本発明に係るケースは、ブラシを挿通して毛並みを保護する保護スリーブと、ブラシを挿通した保護スリーブを収容する収容部を設けたケース本体とを有して構成されている。
【００１２】
本発明のケースが対象とするブラシは、化粧の際に用いるブラシであれば良く、特に構造や形状等を限定するものではない。言い換えると、携帯すべきブラシの寸法や形状等の条件に合わせて保護スリーブの寸法や形状及びケース本体の寸法や形状を設定することが好ましい。従って、ブラシを構成する柄の長さや太さ，毛の長さ等の条件については何ら制限するものではない。
【００１３】
保護スリーブは、ブラシの全長と略等しい長さを有し、且つブラシに於ける最も太い部分の寸法よりも大きい内径を持った筒状に形成される。保護スリーブが剛性を持った筒であるか、柔軟性を持った筒であるかは限定するものではなく、ブラシの寸法や形状等の条件に対し最適なものであることが好ましい。
【００１４】
例えば、ブラシがある程度の太さを有するものである場合、保護スリーブは柔軟性を有するものであっても、剛性を有するものであっても使い勝手上大きな変化はない。しかし、ブラシが細い場合、保護スリーブが柔軟性を有するものである場合、スリーブしての形状を保持することが困難となり、ブラシを挿通することが困難となる場合がある。
【００１５】
また保護スリーブの長さをブラシの全長と略等しい長さとすることによって、該保護スリーブによってブラシの毛先まで確実に覆うことが可能となり、毛並みが広がることを防止し、且つ周囲に対する汚染を防止することが可能となって好ましい。
【００１６】
本発明に於いて、保護スリーブの長手方向の端部にはつまみ片が設けられている。このつまみ片の形状や寸法等は特に限定するものではなく、ブラシを取り出そうとしたときに簡単につまめるように構成されていることが好ましい。特に、つまみ片をブラシと略等しい長さを持った保護スリーブからの突出部分として形成することによって、ケース本体に収容されているブラシを取り出す際に該つまみ片をつまんで引き出すことで、容易にブラシと保護スリーブを取り出すことが可能となる。
【００１７】
上記の如く、つまみ片は保護スリーブからの突出部分として形成することが好ましい。このため、ブラシを挿通した保護スリーブをケース本体に収容したとき、つまみ片が飛び出すことになり、収容部を蓋する際に邪魔になる虞がある。従って、つまみ片を容易に折り曲げることが可能なように構成しておくことが好ましい。
【００１８】
例えば、保護スリーブを柔軟性を持った材料によって形成した場合、つまみ片は特別な構造にしなくとも折り曲げることが可能である。しかし、ある程度の剛性を持った材料によって形成する場合、つまみ片と保護スリーブとの接続部分の肉厚を薄くしたり、接続部の幅を小さくすることで、折り曲げ易くしておくことが好ましい。
【００１９】
ケース本体は、ブラシを挿通した保護スリーブを収容するためのものであり、この機能を有するものであれば、形状や寸法或いは構造，デザイン等を限定するものではない。またケース本体が１本のブラシ，保護スリーブを収容し得るものか、複数のブラシ，保護スリーブを収容し得るものかは特に限定するものではない。
【実施例１】
【００２０】
以下、本発明のケースＡの実施例について図を用いて説明する。図１は本実施例に係るケースの構成を説明する断面図である。図２は図１のケースの展開図である。
【００２１】
図に示すケースＡは、１本のブラシ１を保護スリーブ２に挿通した状態でケース本体３に収容し得るように構成されている。本実施例のブラシ１は、丸棒状の柄１ａの先端に多数の毛を植え込んで形成した刷毛部１ｂが形成されており、柄１ａの外径と刷毛部１ｂの外径とが略同じ寸法として構成されている。また刷毛部１ｂを構成する毛は略同じ長さに設定されており、先端部分は平坦な面となるように形成されている。
【００２２】
しかし、前述したように、本発明で対象とするブラシは本実施例に係るブラシ１に限定するものではなく、多様な形状と寸法を持ったものを対象としている。
【００２３】
保護スリーブ２は、ブラシ１の外径寸法よりも大きい内径を持ったスリーブとして形成されており、本体部２ａの長手方向の一方側に端部につまみ片２ｂが形成されている。つまみ片２ｂの大きさは特に限定するものではなく、指で容易に且つ確実につまめる程度の寸法であれば良い。
【００２４】
保護スリーブ２に形成されるつまみ片２ｂの数は特に限定するものではないが、２個程度あることが好ましい。このように、２個のつまみ片２ｂを形成することで、ブラシ１を挿通した保護スリーブ２をケース本体３に収容したとき、該ケース本体の形状に関わらず何れか一方のつまみ片２ｂがつまみ易いところに位置し容易につまむことが可能となる。
【００２５】
本実施例に於いて、保護スリーブ２はポリエチレンの押出成形品（チューブ）を用いて形成されている。このポリエチレンチューブは柔軟性を有する筒体であり、偏平にして２枚重ねにした状態で切断することで、対向する位置に夫々つまみ片２ｂを形成することが可能である。
【００２６】
また長いポリエチレンチューブをブラシ１の長さに略等しいピッチでつまみ片２ｂを含む形状に切断したとき、他方側にはつまみ片２ｂの形状と等しい切欠部２ｃが形成される。この切欠部２ｃをそのまま残置しておいても良く、また切欠部２ｃの部分を更に直線状に切断しても良い。
【００２７】
例えば、切欠部２ｃを残した保護スリーブ２では、この切欠部２ｃを保護スリーブ２からブラシ１を取り出す際に利用することが可能である。また切欠部２ｃを残すことなく、直線状に切断した保護スリーブ２では、ブラシ１の刷毛部１ｂの外周部を全周にわたって覆うことが可能となり、且つスッキリとした外観を呈することが可能となる。
【００２８】
ケース本体３は、ブラシ１を挿通した保護スリーブ２を収容する収容部３ａと、該収容部３ａを覆う蓋体３ｂと、を有して構成されている。本実施例に於いて、収容部３ａは、ブラシ１，保護スリーブ２を全長にわたって収容し得る深さと、１本のブラシ１を収容し得る断面を持った筒状に形成されており、外周に蓋体３ｂを差し込んで保持する保持ベルト３ｃが設けられている。また蓋体３ｂは収容部３ａの上部開口部分を覆うと共に先端部が保持ベルト３ｃに差し込まれて収容部３ａに対する被蓋状態を保持し得るように構成されている。
【００２９】
次に、ブラシ１をケース本体３に収容する手順について図２により説明する。先ずブラシ１を保護スリーブ２に挿通する。このとき、保護スリーブ２に設けたつまみ片２ｂとは反対側にブラシ１の柄１ａを対向させ、この状態で柄１ａから順に保護スリーブ２に挿通する。この挿通に伴って刷毛部１ｂは保護スリーブ２の本体部２ａに収容され、これにより、保護スリーブ２によって刷毛部１ｂの広がりを防止することが可能となる。
【００３０】
ブラシ１の柄１ａの端部が保護スリーブ２のつまみ片２ｂ側の端部に到達すると、刷毛部１ｂが全長にわたって保護スリーブ２に収容され、ブラシ１は保護スリーブ２と一体化して棒状の物体として取り扱うことが可能となる。
【００３１】
次いで、ブラシ１を挿通した保護スリーブ２をケース本体３に収容する。ケース３の蓋体３ｂを予め捲っておくことで収容部３ａを開放しておき、この収容部３ａにブラシ１，保護スリーブ２を挿入する。
【００３２】
このとき、ブラシ１の刷毛部１ｂの外周が保護スリーブ２に覆われているため、収容部３ａに収容する際に、刷毛部１ｂを構成する毛が引っ掛かって折れたり曲がったりすることがなく、円滑に収容することが可能である。またブラシ１，保護スリーブ２を収容部３ａに収容したとき、保護スリーブ２の端部に設けたつまみ片３ｂは起立した状態を保持している。
【００３３】
ブラシ１，保護スリーブ２をケース本体３の収容部３ａに収容した後、保護スリーブ２に設けたつまみ片２ｂを収容部３ａの内側に入るように折込み、蓋体３ｂの先端部分を保持ベルト３ｃに差し込んで、蓋体３ｂによる収容部３ａの保護を行うことが可能となる。このとき、保護スリーブ２に設けたつまみ片２ｂの折込み状態は蓋体３ｂの屈曲によって保持される。
【００３４】
上記の如くして、ブラシ１を挿通した保護スリーブ２をケース本体３の収容部３ａに収容することが可能であり、この状態で携帯することで、ブラシ１の刷毛部１ｂの広がりを防止した状態を保持することが可能となる。
【００３５】
更に、ケース本体３からブラシ１を取り出して使用する場合には、蓋体３ｂを保持ベルト３ｃから抜き取ると、この抜き取りに伴ってつまみ片２ｂが起立する。従って、指でつまみ片２ｂをつまんで引き上げることで、ブラシ１を挿通した保護スリーブ２を収容部３ａから取り出すことが可能である。このため、収容部３ａの内径と保護スリーブ２の外径との差が小さく、両者の間に隙間がないような場合でも、簡単に取り出すことが可能となる。
【００３６】
尚、本実施例では、ブラシ１を挿通した保護スリーブ２をケース本体３の収容部３ａに収容する際に、ブラシ１の刷毛部１ｂが下側になるようにしているが、この姿勢に限定するものではなく、刷毛部１ｂが上側になるような姿勢で収容部３ａに収容しても良いことは当然である。
【実施例２】
【００３７】
次に、図３により保護スリーブ２の他の形状を示す例について説明する。尚、図に於いて、前述の実施例と同一部分及び同一の機能を有する部分には同一の符号を付して説明を省略する。
【００３８】
同図（ａ）は、保護スリーブ２を構成する本体部２ａの長手方向の一方側の端部に二つのつまみ片２ｂと、二つの切欠部２ｃとを形成したものである。この場合、切欠部２ｃがブラシ１の柄１ａの端部と対向するため、ケース本体３の収容部３ａから取り出す際にはつまみ片２ｂをつまんで、保護スリーブ２からブラシ１を取り出す際には、切欠部２ｃを利用して柄１ａを指でつまんで、夫々容易に取り出すことが可能である。
【００３９】
同図（ｂ）は、保護スリーブ２の本体部２ａの一方側（ブラシ１の柄１ａを挿通する側）を傾斜させて切断することで、傾斜部２ｄを形成したものである。この場合、保護スリーブ２にブラシ１を挿通したとき、柄１ａの端部から傾斜部２ｄの長さに対応した部分が露出することになる。このため、ケース本体３の収容部３ａから取り出す際には、つまみ片２ｂをつまんで、保護スリーブ２からブラシ１を取り出す場合は、傾斜部２ｄから露出している柄１ａをつまんで、容易に取り出すことが可能である。
【００４０】
同図（ｃ）は、保護スリーブ２を構成する本体部２ａの長手方向の両端につまみ片２ｂを設けたものである。この場合、ブラシ１を保護スリーブ２に挿通する際に、方向性を考慮する必要がなく、且つケース本体３の収容部３ａから取り出す際には、つまみ片２ｂを指でつまんで容易に取り出すことが可能である。
【００４１】
同図（ｄ）は、前述の実施例に於ける保護スリーブ２と略同じ形状を有しているが、つまみ片２ｂの本体部２ａに対する取付部分の寸法が小さく形成されている。この場合、ブラシ１を挿通した保護スリーブ２をケース本体３の収容部３ａに収容した蓋体３ｂによって覆う際に、つまみ片２ｂの収容部３ａ内側への屈折を容易に行うことが可能である。
【産業上の利用可能性】
【００４２】
上記の如き本発明に係るケースＡでは、化粧の際に使用するブラシを単独で保護スリーブによって保護すると共にケース本体に収容して携帯することが可能となり、コンパクト容器等に入りきれないブラシの携帯に有利である。
【図面の簡単な説明】
【００４３】
【図１】本実施例に係るケースの構成を説明する断面図である。
【図２】図１のケースの展開図である。
【図３】保護スリーブの他の形状を示す例を説明する図である。
【符号の説明】
【００４４】
Ａ                          ケース
１                          ブラシ
１ａ                        柄
１ｂ                        刷毛部
２                          保護スリーブ
２ａ                        本体部
２ｂ                        つまみ片
２ｃ                        切欠部
２ｄ                        傾斜部
３                          ケース本体
３ａ                        収容部
３ｂ                        蓋体
３ｃ                        保持ベルト
【図１】
2006115878.tif 000003
【図２】
2006115878.tif 000004
【図３】
2006115878.tif 000005